(57)【特許請求の範囲】
【請求項１】
異常時の増水に対する防水装置の構造において、両開きの左右の扉（５）（６）を取付けた左右の主軸（７）（８）を、左右の上部軸受（１０）（１２）と左右の下部軸受（１８）（２０）によって左右の壁（３）（４）に沿うて垂直に設置し、そしてこれら左右の主軸を左右の扉（５）（６）の設置場所の地下の波受室（２２）内まで延長して、ここに左右の長尺波受板（２４）（２５）を各扉と約４５度ずらした位置に固定した後、その各々の先端に左右の短尺波受板（２６）（２７）を蝶番（２８）（２９）により連結し、この短尺波受板を中央の蝶番（３０）で揺動しうるよう連結して一本の波受帯（２３）を形成し、波受室（２２）に津波が押寄せた時、この波受帯（２３）はこれを受けて押流されて左右の主軸（７）（８）に固定した左右の扉（５）（６）を左回転又は右回転させる、この時左右の長尺波受板（２４）（２５）の下辺には左右の底板付扇形歯車（３１）（３２）が取付けられており、これらが互いに噛合うことにより、左右の主軸（７）（８）は常に同角速度で反対方向に回転する、従って左右の扉（５）（６）は左右より同時に閉鎖されるようにした、異常時の増水を防御する防水装置の構造。
【請求項２】
請求項１に記載の異常時の増水に対する防水装置の構造において、左扉（５）の左上部軸受（１０）を緩勾配の、左蔓巻ボールねじ（１４）の構造、右扉（６）の右上部軸受（１２）を緩勾配の右蔓巻ボールねじ（１５）の構造にすることによって重い左右の扉（５）（６）はその自重によりねじ面に沿うて下降しながら、扉の閉じる方向に向って左回転又は右回転しようとする、この回転力を扉固定装置（３４）の扉停止棒（４０）（４１）によりで押留めておき、津波等が押寄せた時、扉固定装置の浮体（３５）が浮上って浮体の支持棒（３６）（３７）が持上げられると反対側の支持棒の先端部が引下げられ、それに連結した扉停止棒（４０）（４１）が引下げられて左右の扉の拘束が解かれるので、上記の回転力が復活して波受帯（２３）が津波の力により左右の扉を閉じようとする作動を助成するようにした防水装置の構造。
【請求項３】
請求項２に記載の異常時の増水に対する防水装置の構造において、左右の扉（５）（６）を支持する左右の主軸（７）（８）の底面のセンター孔（９）を油圧ジャッキ（３３）等のセンターにより、突上げて左右の蔓巻ボールねじ（１４）（１５）の外輪（１６）の底に隙間を作った後、この上で左右の主軸を回転させることにより、左右の扉を小さな力で引張って開くことを可能にした、異常時の増水を防御する防水装置の構造。
【発明の詳細な説明】
【技術分野】
【０００１】  異常時の増水を自動的に防御し、増水の被害を軽減するものである。
【背景技術】
【０００２】  異常時の増水に対しては電力又は人力により水門を閉じる方法が主流であるが、これを常時維持管理を行うも、不測の事故、故障の恐れは避けられない、又、設置に対しては多大の建設費を必要とする。
【発明の開示】
【発明が解決しようとする課題】
【０００３】  本発明は津波の堤防又は堤防の機能を持つ道路への溢水、津波の河川入口への浸水又は河川上流よりの雨水や洪水等を異常時の増水を利用して自動的に防水を行うものである。
【課題を解決するための手段】
【０００４】  本発明の防水装置の構造は両開きの左右の扉５及び６を取付けた左右の主軸７及び８を、左右の上部軸受１０及び１２と左右の下部軸受１８及び２０によって左右の壁３及び４に沿うて垂直に設置する。【０００５】  そしてこれの左右の主軸を左右の扉５及び６の設置場所の地下の波受室２２内まで延長して、ここに長尺波受板２４及び２５を各扉と約４５度ずらした位置に固定した後、その各々の先端に左右の短尺波受板２６及び２７を蝶番２８及び２９により連結し、この左右の短尺波受板を中央の蝶番３０で揺動しうるよう連結して一本の波受帯２３を形成し、波受室２２に津波が押寄せた時、この波受帯２３はこれを受けて押流されて左右の主軸７及び８に固定した左右の扉５及び６を左回転又は右回転させる。【０００６】  この時左右の長尺波受板２４及び２５の下辺には左右の底板付扇形歯車３１及び３２が取付けられており、これらが互いに噛合うことにより、左右の主軸７及び８は常に同角速度で反対方向に回転する、従って左右の扉５及び６は左右より同時に閉鎖されるようになる。【０００７】  図３より図６は左扉５の左主軸７の左上部軸受１０を左蔓巻ボールねじ１４の構造にし、開扉時、閉扉時、閉扉時中に左扉をジャッキで突上げた時、及びジャッキで突上げ中、これを開扉した時の作動を示す断面拡大図である。【０００８】  左扉５の左上部軸受１０を緩勾配の左蔓巻ボールねじ１４の構造、右扉６の右上部軸受１２を緩勾配の右蔓巻ボールねじ１５の構造にすることによって重い左右の扉５及び６はその自重によりねじ面に沿うて下降しながら、扉の閉じる方向に向って左回転又は右回転しようとする、この回転力を扉固定装置３４の扉停止棒４０及び４１で押留めておく、扉固定装置３４の構造は長尺軸４２を左右の支点３８及び３９で揺動可能に支持し、これに左右の浮体３５を取付けた支持棒３６及び３７を取付け、津波により浮体３５が持上げられると支持棒の長尺軸４２への取付位置の反対側の支持棒の先端部が引下げられ、それに連結した左右の扉停止棒４０及び４１が同時に引き下げられて、左右の扉の拘束が解かれるので上記の回転力が復活して、波受帯２３が津波の力により左右の扉を閉じようとする作動を助成するようになる。【０００９】  しかし開扉のときは上記と逆にねじ面に逆のぼる必要があるために容易ではない、従って開扉に先立って、左右の主軸７及び８の底面のセンター孔９を油圧ジャッキ３３等により突上げて左右の蔓巻ボールねじの外輪１６の底に隙間を作った後、左右の主軸７及び８を油圧ジャッキ３３のセンターの上で回転することにより左右の扉５及び６を小さな力で開くことを可能にする。
【発明の効果】
【００１０】  本発明の防水装置により多額の建設費を要する従来の電力による水門よりの転換が可能となって、その管理も容易に行うことが可能になる。
【図面の簡単な説明】
【００１１】
【図１】本発明の実施形態の一例として、防水装置の開扉時正面図
【図２】図１の平面図
【図３】本発明の実施形態の一例として防水装置の左上部軸受を左蔓巻ボールねじの構造にした場合の左扉の開扉時の左主軸の断面拡大図
【図４】同上左扉の閉扉時の左主軸の断面拡大図
【図５】同上左扉の閉扉中に左主軸をジャッキで突上げた時の断面拡大図
【図６】同上ジャッキで突上げ中に左扉を開扉した時の断面拡大図
【発明を実施するための形態】
【００１２】  左右の扉５及び６は左右の主軸７及び８に取付けて両開きするように、そしてこれら左右の主軸を左右の扉５及び６の設置場所の地下の波受室２２内まで延長して、ここに左右の長尺波受板２４及び２５を各扉と約４５度ずらした位置に固定した後、その各々の先端に左右の短尺波受板２６及び２７を蝶番２８及び２９により連結し、この左右の短尺波受板を中央の蝶番３０で揺動しうるよう連結して、一本の波受帯２３を形成し、波受室２２に津波が押寄せた時、この波受帯２３はこれを受けて押流されて左右の主軸７及び８に固定した左右の扉５及び６を左回転又は右回転させる。
【００１３】  左右の扉の一方が早く閉じ始めると、この扉を押して流れる水は片方の扉の裏に流れ込み、その扉の閉鎖を妨げることになる、この現象を避けるため左右の長尺波受板２４及び２５の下辺には左右の底板付扇形歯車３１及び３２が取付けられており、これらが互に噛合うことにより左右の主軸７及び８は常に同角速度で反対方向に回転する、従って左右の扉５及び６は左右より同時に閉鎖されるようにする。
【００１４】  左扉５の左上部軸受１０を緩勾配の左蔓巻ボールねじ１４の構造、右扉６の右上部軸受１２を緩勾配の右蔓巻ボールねじ１５の構造にすることによって重い左右の扉５及び６はその自重によりねじ面に沿うて下降しながら、扉の閉じる方向に向って左回転又は右回転しようとする、この回転力を扉固定装置３４の扉停止棒４０及び４１で押留めておく、扉固定装置３４の構造は長尺軸４２を左右の支点３８及び３９で揺動可能に支持し、これに左右の浮体３５を取付けた支持棒３６及び３７を取付け、津波により浮体３５が持上げられると支持棒の長尺軸４２への取付位置の反対側の支持棒の先端部が引下げられ、それに連結した左右の扉停止棒４０及び４１が同時に引き下げられて、左右の扉の拘束が解かれるので上記の回転力が復活して、波受帯２３が津波の力により左右の扉を閉じようとする作動を助成するようになる。
【００１５】  左右の上部軸受１０及び１２に左右の蔓巻ボールねじ１４及び１５を使用した場合、閉じられた左右の扉５及び６を開けるためには、図５に示すように左右の主軸７及び８の底面のセンター孔９を油圧ジャッキ３３、スクリュージャッキ等により突上げて左右の蔓巻ボールねじの外輪１６の底に隙間を作る。
【００１６】  次に図６に示すように左右の扉の主軸７及び８を油圧ジャッキのセンター等の上で回転させる。このとき主軸を回転させても外輪１６は回転せずに次第に降下して底の隙間は埋めるように降下する、従って左右の主軸７及び８は蔓巻ボールねじによる抵抗を受けることなく自由に油圧ジャッキ３３のセンターの上を回転することが出来、従って左右の扉５及び６は小さな力で開くことが可能になる。
【００１７】  左右の扉５及び６が全開すると扉固定装置３４の扉停止棒４０及び４１で固定した後、油圧ジャッキ３３を取外す。
【００１８】  上部軸受１０及び１２に蔓巻ボールねじ１４及び１５を使用することにより十数米の広幅の重い扉も軽く閉鎖することが可能になり、又、この防水装置を横に並べて各々の主軸の上に歯車を固定し、隣接する装置の主軸の歯車を噛合わせることにより、同時に両装置の扉を閉鎖することが可能になる、従って広い河口、漁港入口の閉鎖も可能になる。
【符号の説明】
【００１９】  １・・・防水装置                          ２・・・防水装置の床
３・・・防水装置の左壁                    ４・・・防水装置の右壁
５・・・左扉                              ６・・・右扉
７・・・左主軸                            ８・・・右主軸
９・・・主軸の底のセンター孔            １０・・・左上部軸受
１１・・・左上部軸受箱                    １２・・・右上部軸受
１３・・・右上部軸受箱                    １４・・・左蔓巻ボールねじ
１５・・・右蔓巻ボールねじ                １６・・・蔓巻ボールねじの外輪
１７・・・蔓巻ボールねじの内輪            １８・・・左下部軸受
１９・・・左下部軸受箱                    ２０・・・右下部軸受
２１・・・右下部軸受箱                    ２２・・・波受室
２３・・・波受帯                          ２４・・・左長尺波受板
２５・・・右長尺波受板                    ２６・・・左短尺波受板
２７・・・右短尺波受板                    ２８・・・左短尺波受板の蝶番
２９・・・右短尺波受板の蝶番              ３０・・・中央の蝶番
３１・・・左底板付扇形歯車                ３２・・・右底板付扇形歯車
３３・・・油圧ジャッキ                    ３４・・・扉固定装置
３５・・・扉固定装置の浮体                ３６・・・左板状浮材の支持棒
３７・・・右板状浮材の支持棒              ３８・・・支持棒の左支点
３９・・・支持棒の右支点                  ４０・・・左扉停止棒
４１・・・右扉停止棒                      ４２・・・長尺軸
【要約】      （修正有）【課題】津波の堤防又は堤防の機能を持つ道路への溢流、津波の河川入口への浸水、又は逆に河川上流よりの洪水等、異常時の増水を、この増水を利用して自動的に防水する。【解決手段】両開きの左右の扉５、６の主軸７、８に地下の波受室２２内の波受帯２３に固定し、津波が押寄せた時、波受帯２３がこれを受けて、主軸に固定した左右の扉５、６を左又は右に回転して閉鎖する。このとき波受帯２３の左右の長尺波受板２４、２５には扇形歯車３１、３２を取付けて互いに噛合わせることにより左右の扉５、６は同時に閉鎖する。又、左右の扉５、６の左右の上部軸受１０、１２を左右の蔓巻ボールねじの構造にすることにより左右の扉５、６はその自重によりねじ面に沿うて下降しながら左右の扉５、６の閉じる方向に向かって左又は右回転する。この回転力を、波受帯２３が左右の扉５、６を閉めるときに助成させる異常時の増水を防御する防水装置の構造。【選択図】図２【図１】
0005565741.tif 000002
【図２】
0005565741.tif 000003
【図３】
0005565741.tif 000004
【図４】
0005565741.tif 000005
【図５】
0005565741.tif 000006
【図６】
0005565741.tif 000007